(57)【要約】【課題】個人認証においての生体認証について、スムーズな認証及び動作を可能にし、更には、安全性などや、セキュリティ向上を図ることを課題とする。【解決手段】指の認証面を変え、複数の生体情報を取得し、さらに認証の順序に対応付けて動作を登録する。一方、認証時には、前記順序に従って、複数の生体情報を取得し、認証操作、認証処理を行うようにすることにより、スムーズな認証と動作が可能になる。また、複数回の生体認証を行うことで、利便性やセキュリティなどが向上する。【選択図】図１
2009116485.tif 000002
【特許請求の範囲】
【請求項１】
生体情報を用いて認証する生体認証装置において、
生体情報を検出する生体情報読取部と、
前記生体情報読取部で検出した順序に対応付けて検出した生体情報を登録する登録データ記憶部と、
前記生体情報読取部で前記順序に従って検出した生体情報と前記登録データ記憶部に登録された生体情報から認証処理を行う制御部と、
を有することを特徴とする生体認証装置。
【請求項２】
請求項１記載の生体認証装置において、
前記登録データ記憶部には、
前記生体情報読取部で検出した第１の順序に対応付けて検出した生体情報が登録され、
また、前記生体情報読取部で検出した第２の順序に対応付けて検出した生体情報が登録されることを特徴とする生体認証装置。
【請求項３】
請求項１記載の生体認証装置において、
前記生体情報読取部で前記第１の順序に従って検出した生体情報と前記登録データ記憶部に登録された生体情報から認証処理を行い、
また、前記生体情報読取部で前記第２の順序に従って検出した生体情報と前記登録データ記憶部に登録された生体情報から認証処理を行うことを特徴とする生体認証装置。
【請求項４】
請求項１記載の生体認証装置において、
前記生体情報が瞳の虹彩、網膜、筆跡、顔形、掌形、声紋、静脈に関する情報の何れか１つであることを特徴とする生体認証装置。
【請求項５】
請求項１記載の生体認証装置において、
前記生体情報が瞳の虹彩、網膜、筆跡、顔形、掌形、声紋、静脈に関する情報の何れかの内の少なくとも２つを組合わせることを特徴とする生体認証装置。
【請求項６】
生体情報を用いて認証する生体認証装置において、
前記生体認証装置とは別体に設けられる生体情報を検出する第１の生体情報読取部で検出した順序に対応付けて検出した生体情報を登録する登録データ記憶部と、
前記生体認証装置に設けられる生体情報を検出する第２の生体情報読取部と、
前記第２の生体情報読取部で前記順序に従って検出した生体情報と前記登録データ記憶部に登録された生体情報から認証処理を行う制御部と、
を有することを特徴とする生体認証装置。
【請求項７】
請求項６記載の生体認証装置において、
前記生体情報読取部で前記第１の順序に従って検出した生体情報と前記登録データ記憶部に登録された生体情報から認証処理を行い、
また、前記生体情報読取部で前記第２の順序に従って検出した生体情報と前記登録データ記憶部に登録された生体情報から認証処理を行うことを特徴とする生体認証装置。
【請求項８】
請求項６記載の生体認証装置において、
前記生体情報が瞳の虹彩、網膜、筆跡、顔形、掌形、声紋、静脈に関する情報の何れか１つであることを特徴とする生体認証装置。
【請求項９】
請求項６記載の生体認証装置において、
前記生体情報が瞳の虹彩、網膜、筆跡、顔形、掌形、声紋、静脈に関する情報の何れかの内の少なくとも２つを組合わせることを特徴とする生体認証装置。
【請求項１０】
指静脈を認識する生体認証装置において、
指の認証面を変え撮影可能な画像読取部と、
指の認証面を変え認識した指静脈画像と認証の順序に特定の動作を対応付けて記憶可能な登録データ記憶部と、
前記指の認証面を変え認識した指静脈画像を照合し、その認証の順序により特定の動作を前記登録データ記憶部から判断可能な制御部と、
を有することを特徴とする生体認証装置。
【請求項１１】
前記登録データ記憶部で保存する生体テンプレートに番号が割り振られた生体情報を持つ請求項１に記載の生体認証装置。
【請求項１２】
前記登録データ記憶部に認証の順序に対応付けた動作を登録可能な請求項１に記載の生体認証装置。
【発明の詳細な説明】
【技術分野】
【０００１】
本発明は生体認証装置に関するものである。
【背景技術】
【０００２】
個人認証技術として携帯端末やクレジット決済においてＩＣカードが普及している。さらに個人認証における不正防止のため、生体情報を用いた生体認証が普及しつつある。生体認証としては瞳の虹彩、網膜、筆跡、顔形、掌形、声紋、静脈、ＤＮＡなどがある。この生体認証について、例えば、特許文献１や、特許文献２に開示のあるものである。
【０００３】
【特許文献１】特開２００５−２６８９５１号公報
【特許文献２】特開２００６−２２７７６９号公報
【発明の開示】
【発明が解決しようとする課題】
【０００４】
前記特許文献１には、指紋と関連付けられた機能を実行させる手段が開示されている。また、特許文献２には、状況に応じて複数の生体認証方法を用いる手段が開示されている。
【０００５】
これらの特許文献においても、生体認証についての技術が開示されているが、生体認証においては、より安全性などを向上させることについて、更なる改善がなされることは、これらを用いるシステムなどにおいては、好ましいものである。
【０００６】
例えば、特許文献１では、認証の順序に動作を対応付けるための生体情報登録方法が記載されておらず、前記特許文献２には動作に対し、認証の組み合わせが対応させられており、認証の順序によって動作が関連付けられていない。
【０００７】
一方、生体認証の方法として、個人固有の静脈のパターンにより認証を行う静脈認証がある。この静脈パターンを利用する認証では、外部から容易に観察できない、心理的抵抗が少ない等の理由から、例えば、ＡＴＭや入退出管理等での認証に利用されつつある。
【０００８】
しかしながら、認証に用いる生体情報には限度があり、比較的容易に静脈のパターンを検出、取得出来る指や、掌などの生体の部位は、現時点では、限られているものと言える。従って、更なる認証の安全性などを向上させることについては、何等かの工夫、技術的な改善を図ることは、好ましいことであり、この点が課題と言える。
【０００９】
本発明は、これらの課題に関するものであり、個人認証において、例えば、指の認証面を変え生体認証を行い、当該認証の過程において、認証の順序に対して動作を関連付けることでスムーズな認証及び動作を可能にする生体情報の登録方法と認証方法、及び装置を提供することにある。
【課題を解決するための手段】
【００１０】
前記課題を解決するために、本願において開示される発明のうち、代表的なものの概要を説明すれば、下記の通りである。
【００１１】
安全性などの向上を図るものとして、複数回の認証を行うようにして、人差し指、中指等の指の種類を変える等の生体認証後、若しくは、当該生体認証の前後等の順序に限定せず、当該生体認証に加えて、他の認証と組み合わせを行い、例えば暗証番号の入力するようにして、認証を行うようにすることが考えられる。
【００１２】
更には、これらを踏まえて、指の認証面を変える操作を行い、当該指の認証面を変える操作の認証の順序に対応付けて動作を登録することにより、スムーズな認証が可能になり、複数回の生体認証を行うことで、利便性や、セキュリティ向上などを図ることを特徴とする。
【００１３】
前記発明の開示について、他の表現としたものを以下に説明する。
【００１４】
生体情報を用いて認証する生体認証装置において、生体情報を検出する生体情報読取部と、前記生体情報読取部で検出した順序に対応付けて検出した生体情報を登録する登録データ記憶部と、前記生体情報読取部で前記順序に従って検出した生体情報と前記登録データ記憶部に登録された生体情報から認証処理を行う制御部とを設けるようにする。
【００１５】
または、前記生体認証装置において、前記登録データ記憶部には、前記生体情報読取部で検出した第１の順序に対応付けて検出した生体情報が登録され、また、前記生体情報読取部で検出した第２の順序に対応付けて検出した生体情報が登録されるようにする。
【００１６】
または、前記生体認証装置において、前記生体情報読取部で前記第１の順序に従って検出した生体情報と前記登録データ記憶部に登録された生体情報から認証処理を行い、また、前記生体情報読取部で前記第２の順序に従って検出した生体情報と前記登録データ記憶部に登録された生体情報から認証処理を行うようにする。
【００１７】
前記説明で開示した本発明によって得られる代表的な効果は以下の通りである。
【００１８】
生体認証において指の認証面を変えることで、２次元で撮影する静脈パターンが変化し、使用できる生体情報の増加が図れる。また、複数回の認証を一本の指の認証面を変化させることで、認証方法を変える、指を変える方法に比べ、素早い複数回の認証が可能になる。
【００１９】
さらに、認証の順序に対応付け動作を登録することで、認証の組み合わせに対応付け動作を登録するよりも、何度も同じ生体情報を扱い順序を持たせることで多くの動作を登録でき、認証の順序を開示しないことで秘匿性を持たせることができる。このことで認証後、目的の動作へ素早く移行することができる。
【発明の効果】
【００２０】
本発明によれば、従来よりも、よりセキュリティなどを向上させた生体認証装置を提供可能とするものである。
【発明を実施するための最良の形態】
【００２１】
以下，本発明の実施の形態を図を用いて説明する。
【実施例１】
【００２２】
図１は本発明の第１の実施の形態における生体認証装置の構成の一例を示した図である。
【００２３】
同図において１０は生体テンプレート、シーケンス番号などのデータ情報が登録可能なメモリを備えている登録データ記憶部である。１１は指の認証面（指配置）を変えて指静脈画像を撮影可能な画像読取部(前述の生体情報読取部に相当するもの)である。１２はパターンマッチング、入出力インターフェイス等の手段を有する制御部である。１３はタッチパネルディスプレイなどの情報を表示可能な操作画面部である。
【００２４】
まず初めに本実施例における認証情報登録手順を図を用いて説明する。
【００２５】
図１は生体認証装置構成例、図２は登録データ記憶部１０、図３は指の配置例で指の配置とその静脈画像、生体テンプレートを模式的に表したものである。画像読取部１１は指配置２００のように指が置かれると、指の上下位置、回転位置、角度位置、光量に応じた光学補正を行い、指静脈画像２１０を撮影する。制御部１２は登録データ記憶部１０、画像読取部１１、操作画面部１３の入出力を制御する手段を有し、信号処理部１２０とメモリ１２１から構成される。同部は画像読取部１１が撮影した指静脈画像２１０から２２０のような生体テンプレート１０２を作成し、シーケンス番号１０１を付加し、生体テンプレート情報１００として記憶する。
【００２６】
次に画像読取部１１は指配置２０１のように指が置かれると、各種光学補正を行い、指静脈画像２１１を撮影する。制御部１２は、画像読取部１１が撮影した指静脈画像２１１から２２１のような生体テンプレート１０２を作成し、前記とは別のシーケンス番号１０１を付加し、生体テンプレート情報１００として記憶する。前記のシーケンス番号１０１を用いて認証シーケンス１０３を作成し、それに対応したシーケンス動作１０５を割当て、シーケンス情報１０４として登録データ記憶部１０に記憶する。操作画面部１３は登録完了の旨を表示し、登録終了とする。
【００２７】
次に本実施例における認証動作手順を図１、図２を用いて説明する。
画像読取部１１は指が置かれると、指の上下位置、回転位置、角度位置、光量に応じた光学補正を行い、指静脈画像を撮影する。制御部１２は登録データ記憶部１０、画像読取部１１、操作画面部１３の入出力を制御する手段を有し、登録データ記憶部１０に保存された生体テンプレート１０２と画像読取部１１が撮影した指静脈画像を照合し、合致した生体テンプレート１０２のシーケンス番号１０１を登録データ記憶部１０に認証成功シーケンス番号１０６として記憶する。
【００２８】
次に操作画面部１３は操作手順、登録確認等の情報、例えば認証の可否と指の認証面を変える旨等を表示し、ユーザは指先を軸にし指の認証面を変え、指を置く。画像読取部１１は指静脈画像を撮影する。制御部１２は登録データ記憶部１０に保存された生体テンプレート１０２と画像読取部１１が読み取った指静脈画像を照合し、合致した生体テンプレート１０２のシーケンス番号１０１を得る。制御部１２は登録データ記憶部１０に記憶していた認証成功シーケンス番号１０６とシーケンス番号１０１から認証シーケンス１０３を判断し、認証完了と共に認証シーケンス１０３に対応したシーケンス動作１０５を行う。以上の構成により、指の認証面を変えた認証を複数回行うことで、暗証番号入力や指を変える等の認証と組み合わせるよりもスムーズで、かつ複数回の認証を行うことが可能となるので使い勝手が良く、セキュリティが高い生体認証システムを提供することが可能となる。さらに、認証の順序に動作を登録することで、直ちに目的の動作に移行することができ、利便性の向上が図れる。
【００２９】
但し、本実施と、暗証番号入力や指を変える等の認証と組み合わせるような実施形態とするものであっても良く、そうすることで、更なるセキュリティの向上を図るものであっても何ら問題はない。
【００３０】
図２に前記登録データ記憶部１０の構成を示す。
登録データ記憶部１０はシーケンス番号１０１と共に指の認証面を変え登録した生体テンプレート１０２が生体テンプレート情報１００として少なくとも２つ以上記憶可能で、認証シーケンス１０３に対応するシーケンス動作１０５がシーケンス情報１０４として記憶可能で、認証成功シーケンス番号１０６を記憶可能なメモリを備えている。以上の構成により、登録データ記憶部１０はシーケンス番号１０１、生体テンプレート１０２から成る生体テンプレート情報１００、認証シーケンス１０３に対応付けられたシーケンス動作１０５から成るシーケンス情報１０４、認証成功シーケンス番号１０６を記憶可能であるため、認証の順序による各種動作の割当てが可能になる。
【００３１】
図３に指の配置２００、２０１、指静脈画像２１０、２１１、生体テンプレート２２０、２２１の模式図を示す。本実施例では爪を上にした状態での指静脈画像２１０を正面画像とし、指の認証面を変えた状態での指静脈画像２１１を右側面画像とする。
【００３２】
図４において画像読取部１１は光源１１０、カメラ１１１から光学系が構成され、光学補正を行い指静脈画像を撮影する。尚、本実施例では光学系は１系統としているが、複数の光学系を用い読取精度を上げてもよい。同部１１は指の認証面を変えて撮影を行った際にも指静脈認証に必要な情報を得ることが可能な構造を有する。図５に前記制御部１２の構成を示す。
【００３３】
図５において制御部１２は登録データ記憶部１０、画像読取部１１、操作画面部１３とケーブル等で接続されて、データ、情報、制御信号、制御データの授受が行われ、信号処理部１２０、メモリ１２１から構成される。画像読取部１１から得た指静脈画像２１０はメモリ１２１に記憶され、信号処理部１２０により指静脈画像２１０は登録データ記憶部１０の生体テンプレート１０２と照合される。照合した生体テンプレート１０２のシーケンス番号１０１を認証成功シーケンス番号１０６として登録データ記憶部１０に記憶し、画像読取部１１からの入力を待つ。
【００３４】
画像読取部１１から得た指認証画像２１１はメモリ１２１に記憶され、信号処理部１２０により指静脈画像２１１は登録データ記憶部１０の生体テンプレート１０２と照合される。認証成功シーケンス番号１０６と照合した生体テンプレート１０２のシーケンス番号１０１から登録データ記憶部１０の認証シーケンス１０３を判断し、それに対応するシーケンス情報１０４を取得し、認証完了とし動作に移行する。以上の構成により、各部を制御し、指静脈画像２１０，２１１と生体テンプレート１０２を照合し、シーケンス番号１０１を取得、記憶することが可能になり、認証後、直ちに認証の順序により登録されたシーケンス動作１０５に移行することができる。尚、制御部１２のメモリ１２１は登録データ記憶部等の他の記録媒体に存在してもよい。
【００３５】
図６に操作画面部１３の構成例を示す。操作画面部１３は、操作手順、認証成功の可否、確認等の情報を表示することが可能であり、手順、状況等をユーザに知らせることが可能になる。
【００３６】
本実施例を携帯端末に応用した例を挙げ説明する。
【００３７】
図７に携帯端末３０、図８にメモリ３６の構造を示す。図７の携帯端末３０は、テンキー３１、画像読取部３２、操作画面３３、制御部３４、メモリ３６から成る。図８のメモリ３６は、暗証番号３６０、端末番号３６１、シーケンス番号３６３と生体テンプレート３６４から構成される生体テンプレート情報３６２、認証シーケンス３６６とシーケンス動作３６７と付加情報３６８から構成されるシーケンス情報３６５が記憶され、認証成功シーケンス番号３６９、認証失敗回数３７０を読み書き可能なメモリを備える。
【００３８】
尚、図７の携帯端末は、例えば、携帯電話、PDAやPOS端末などの携帯情報端末や、ノートパソコンと呼ばれる携帯、過般出来るコンピュータ等であってもよく、ドアや自動車のハンドル等に備えられるものでもよい。
【００３９】
本実施例の指静脈認証登録手順について図９のフローチャートを用いて説明する。
【００４０】
初めに生体テンプレート情報登録作業を示す。生体情報登録を開始すると、携帯端末３０の操作画面３３には図１３のように登録案内が表示され（Ｓ１００１）、ユーザは登録する生体情報をテンキー３１を用いて選択する（Ｓ１００２）。“１”を選択入力すると操作画面３３には図１４のように案内が表示される（Ｓ１００３）。画像読取部３２に図３に示すようユーザの爪が上にくる状態２００で指を置き（Ｓ１００４）、画像読取部３２は指静脈画像を撮影する（Ｓ１００５）。制御部３４は撮影された指静脈画像２１０とメモリ３６に記憶されている生体テンプレート１０２を照合し（Ｓ１００６）、一致したら登録済みとし、登録を中止する。一致しない場合、得られた指静脈画像２１０から生体テンプレート２２０を抽出し（Ｓ１００７）、適正に撮影させているか判断をするため認証テストを開始する（Ｓ１００８）。
【００４１】
操作画面３３には認証テストを開始する旨が表示され、ユーザがもう一度指を置くと（Ｓ１００９）、画像読取部３２は指静脈を撮影する（Ｓ１０１０）。制御部３４は撮影された指静脈画像と、生体テンプレート２２０を照合し（Ｓ１０１１）、一致した場合、シーケンス番号３６３に“１”を割り当て（Ｓ１０１２）、生体テンプレート情報３６２を作成し（Ｓ１０１３）、メモリ３６に登録する（Ｓ１０１４）。操作画面３３には図１５のように登録完了の旨が表示される（Ｓ１０１５）。一致しない場合、登録を中止する。
【００４２】
次にユーザは指の認証面を変え登録を行う。登録案内に従い（Ｓ１００１）、ユーザは“２”を選択入力する（Ｓ１００２）。操作画面３３には指の認証面を変える旨が表示され（Ｓ１００３）、図３に示すように指の認証面を変えた状態２０１で指を置き（Ｓ１００４）、画像読取部３２は指静脈画像２１１を撮影する（Ｓ１００５）。制御部３４は撮影された指静脈画像２１１とメモリ３６に記憶されている生体テンプレート１０２と照合し（Ｓ１００６）、一致したら登録済みとし、登録を中止する。一致しない場合、得られた指静脈画像２１１から生体テンプレート２２１を抽出し（Ｓ１００７）、適正に撮影させているか判断をするため認証テストを開始する（Ｓ１００８）。
【００４３】
操作画面３３には認証テストを開始する旨が表示され、ユーザがもう一度指を置くと（Ｓ１００９）、画像読取部３２は指静脈を撮影する（Ｓ１０１０）。制御部３４は撮影された指静脈画像と生体テンプレート２２１を照合し（Ｓ１０１１）、一致した場合、シーケンス番号３６３に前記とは別の“２”を割り当て（Ｓ１０１２）、生体テンプレート情報３６２を作成し（Ｓ１０１３）、メモリ３６に登録する（Ｓ１０１４）。操作画面３３には登録完了の旨とシーケンス番号３６３と対応した画像が表示される（Ｓ１０１５）。一致しない場合、登録を中止する。尚、登録手順は前記に限らず、ユーザがシーケンス番号、指の認証面等を適宜設定してもよく、生体情報識別（種類、指の認証面等）を自動検出し、登録してもよい。本実施例ではシーケンス番号に数字を用いたが、これに限らず、文字、記号等、判断のつくものであればよい。
【００４４】
次に指静脈認証手順について図１０のフローチャートを用いて説明する。
【００４５】
携帯端末３０のメモリ３６には各種生体認証に関わる情報が登録されている。認証失敗回数３７０が制限カウント数以内であるか判断する（Ｓ２００１）。制限カウント数に達していたら認証を中止し、達していない場合、携帯端末３０の操作画面３３には図１６のような案内が表示され、認証を促す（Ｓ２００２）。
【００４６】
ユーザが画像読取部３２に指を置くと（Ｓ２００３）、同部３２は撮影を行う（Ｓ２００４）。携帯端末３０の制御部３４は指静脈画像２１０とメモリ３６の生体テンプレート３６４と照合する（Ｓ２００５）。一致した場合、照合した生体テンプレート３６４のシーケンス番号３６３の値をメモリ３６の認証成功シーケンス番号３６９に記憶し（Ｓ２００６）、認証失敗回数３７０をリセットし（Ｓ２００７）、図１７のように認証終了の旨を表示し認証終了とする（Ｓ２００８）。一方で一致しなかった場合、認証失敗回数３７０を１増やし（Ｓ２００９）、制限カウント数に達していない場合にはもう一度撮影に戻り、認証失敗回数３７０が制限カウント数に達したら認証を中止する（Ｓ２００１）。
【００４７】
次にシーケンス情報登録手順について図１１のフローチャートを用いて説明する。
【００４８】
操作画面３３には図１８のように登録画面が表示される（Ｓ３００１）。爪が上にくる状態２００での指静脈認証（シーケンス番号“１”）、指の認証面を変えた状態２０１での指静脈認証（シーケンス番号“２”）とした場合、シーケンスは“１”→“２”となるため、ユーザは登録する認証シーケンス登録欄に“１２”を選択入力する（Ｓ３００２）。
【００４９】
選択した認証シーケンスに従い認証テストが行われる。ユーザは、認証を爪が上にくる状態２００での指静脈認証（Ｓ３００３）、指の認証面を変えた状態２０１での指静脈認証の順で行う（Ｓ３００４）。決定した認証シーケンスと認証によって得られた認証シーケンスを比較し（Ｓ３００５）、一致したら、シーケンス動作３６７“アプリ起動”にその認証シーケンス３６６を対応付けて割当て（Ｓ３００６）、付加情報３６８として“ログイン情報”を付加し（Ｓ３００７）、シーケンス情報３６５を作成し（Ｓ３００８）、登録する（Ｓ３００９）。操作画面３３には図１９のように登録完了の旨が表示され（Ｓ３０１０）、登録を終了する。一致しない場合は登録を中止する。
【００５０】
前記とは逆に認証の順序を指の認証面を変えた状態２０１での指静脈認証、次に爪が上にくる状態２００での指静脈認証とした場合、シーケンスは“２”→“１”となるため、ユーザは登録する認証シーケンス登録欄に“２１”を選択入力する（Ｓ３００２）。選択した認証シーケンスに従い認証テストが行われる。
【００５１】
ユーザは、認証を指の認証面を変えた状態２０１での指静脈認証（Ｓ３００３）、爪が上にくる状態２００での指静脈認証の順で行う（Ｓ３００４）。決定した認証シーケンスと認証によって得られた認証シーケンスを比較し（Ｓ３００５）、一致したら、シーケンス動作３６７“モード変更”にその認証シーケンス３６６を対応付けて割当て（Ｓ３００６）、付加情報３６８として“設定情報”を付加し（Ｓ３００７）、シーケンス情報３６５を作成し（Ｓ３００８）、登録する（Ｓ３００９）。操作画面３３には図１９のように確認画面が表示され（Ｓ３０１０）、登録を終了する。一致しない場合は登録を中止する。尚、動作を選択後、ユーザが任意の順序で認証を行い、その認証の順序から認証シーケンスを決定してもよい。
【００５２】
次にシーケンス動作認証手順について図１２のフローチャートを用いて説明する。
【００５３】
携帯端末３０の操作画面３３には図２０のような案内が表示され、認証を促す（Ｓ４００１）。ユーザがアプリ起動を行う場合、まず初めに爪が上にくる状態２００で指静脈認証を行う（Ｓ４００２）。このとき、認証成功シーケンス番号３６９にはシーケンス番号３６３の“１”が記憶される。次に、携帯端末３０の操作画面３３には、照合成功と指の認証面を変える旨が図２１のように表示され（Ｓ４００３）、ユーザは指の認証面を変えた状態２０１で指静脈認証を行う（Ｓ４００４）。制御部３４は認証成功シーケンス番号３６９と２回目の認証で成功したシーケンス番号３６３の値“２”から、シーケンスは“１”→“２”となり、認証シーケンスは“１２”となる（Ｓ４００５）。
【００５４】
制御部３４は得られた認証シーケンスがメモリ３６のシーケンス情報３６５に登録されているか判断する（Ｓ４００６）。前記で得られた認証シーケンスが登録されていない場合、操作画面３３には登録されていない旨が表示され、認証が中止される。登録されている場合、シーケンス情報３６５を取得し（Ｓ４００７）、制御部３４は認証シーケンス３６６に対応するシーケンス動作３６７である“アプリ起動”に移行し、操作画面部３３は動作移行する旨を図２２のように表示し（Ｓ４００８）、認証完了と共に動作移行を行う。
【００５５】
一方、ユーザがモード変更を行う場合、まず初めに指の認証面を変えた状態２０１で指静脈認証を行う（Ｓ４００２）。このとき、認証成功シーケンス番号３６９にはシーケンス番号３６３の“２”が記憶される。次に、携帯端末３０の操作画面３３には、照合成功と指の認証面を変える旨が表示され（Ｓ４００３）、ユーザは爪が上にくる状態２００で指静脈認証を行う（Ｓ４００４）。
【００５６】
制御部３４は認証成功シーケンス番号３６９と２回目の認証で成功したシーケンス番号３６３の値“１”から、シーケンスは“２”→“１”となり、認証シーケンスは“２１”となる（Ｓ４００５）。制御部３４は得られた認証シーケンスがメモリ３６のシーケンス情報３６５に登録されているか判断する（Ｓ４００６）。
【００５７】
前記で得られた認証シーケンスが登録されていない場合、操作画面３３には登録されていない旨が表示され、認証が中止される。登録されている場合、シーケンス情報３６５を取得し（Ｓ４００７）、制御部３４は認証シーケンス３６６に対応するシーケンス動作３６７である“モード変更”に移行し、操作画面部３３は動作移行する旨を表示し（Ｓ４００８）、認証完了と共に動作移行を行う。以上の構成により、一本の指で別々の認証が複数回可能になり、異なる指の認証面での認証を行うことで単一面での認証を行った場合に比べて、セキュリティの向上が図れる上に、認証の順序によって動作を登録することが可能になるため、入力動作等を省くことができるため、利便性が向上する。
【００５８】
尚、本実施例では指静脈情報での認証実施形態について説明するが、生体情報としては、指静脈情報以外の情報、例えば指紋でもよく、また指静脈情報も指以外の部位例えば手のひら等の、生体から得られる静脈情報であれば、どこでも特に限定するものではない。例えば、機器の改良などによって、全身の静脈情報が取得出来るのであれば、当該取得した静脈情報を用いるものであってもよい。
【００５９】
尚、登録時、認証テスト時、認証時において、認証失敗等の不正な処理がなされた場合に動作中止としたが、これに限らず、失敗回数に制限を設けて再び選択、撮影等の処理に移行しても構わない。
【００６０】
尚、生体テンプレート情報は前記生体情報のみに限らず、前記生体情報と共に画像読取部の光学補正情報等を登録してもよく、認証時、認証の順序により、指の向き、種類等の認証の方法が予期される場合、登録している光学系の補正情報からあらかじめ光学系を補正し、精度向上及び高速化を図ってもよい。
【００６１】
尚、本実施例では画像により認証を促しているが、これは文字情報や音声情報等のみまたはそれらの組み合わせでもよく、認証時には認証の順序と動作を表示しないことによって秘匿性を持たせ、セキュリティを高めることもある。前記実施例１ではシーケンス動作を認証の順序によって決定したが、複数台の生体認証装置を用いて複数の生体認証を行い、その認証の順序に動作を対応付けてもよい。
【実施例２】
【００６２】
前記実施例１の生体認証装置は一連の動作、指静脈登録、シーケンス動作登録、指静脈認証、シーケンス動作認証を一装置で行っていたが、これに限らず、例えば登録作業は銀行窓口の登録装置、認証作業はＡＴＭにする等役割を分担させることによって、不正な書き換え等が困難になり、よりセキュリティの高い生体認証が可能になる。前記実施例１の一変形例を金融取引を例に挙げ説明する。
【００６３】
図２３はＩＣカード１４、図２４は登録装置１６、図２５はATM１７である。まず初めに登録手順について説明する。図２３に示すＩＣカード１４は暗証番号１４０、口座番号１４１、生体テンプレート情報１４２、シーケンス情報１４５、認証成功シーケンス番号１５０、認証失敗回数１５１を記憶可能なメモリを備えている。
【００６４】
前記ＩＣカード１４においてシーケンス番号１４３が割当てられた生体テンプレート１４４を含む生体テンプレート情報１４２は少なくとも２つ以上記憶されており、認証シーケンス１４６と認証シーケンス１４６に対応したシーケンス動作１４７と各動作の重要度によって決定された最低認証回数１４８と付加情報１４９から構成されるシーケンス情報１４５が記憶されている。
【００６５】
例えば“出金”にシーケンスを割当てる場合、最低限行う認証回数は最低認証回数１４８から３回以上、“残高照会”は最低限行う認証回数は最低認証回数１４８から１回以上となり、取引の重要度に応じた最低認証回数１４８を設定することが可能である。登録作業時、まず初めにＩＣカード１４を登録装置１６のカード挿入口１６０に挿入する。制御部１６３はＩＣカード１４と初期動作をし、表示画面１６１には図２６のような表示される。ユーザは登録するシーケンス動作１４７を選択する。“出金”を選択すると、ユーザは“出金”の最低認証回数１４８は“３”であることから、３回以上認証を行うよう３桁以上の認証シーケンスを入力する。
【００６６】
登録装置１６は入力された認証シーケンスの桁数から認証回数を判断し、最低認証回数１４８未満の場合、その旨を操作画面１６１に表示し登録を中止する。入力された認証シーケンスの認証回数が最低認証回数１４８以上の場合、ユーザは認証シーケンスに従い、画面読取部１６２に指を置き、認証テストを行われる。認証テストが成功したら、ユーザは付加情報１４９を入力し、制御部１６３はシーケンス動作に認証シーケンスを割当てシーケンス情報１４５を作成し、登録する。表示画面１６１に図２７のように確認表示し、登録完了とする。
【００６７】
図２８はシーケンス動作認証手順についての表示例とフローチャートである。
【００６８】
ユーザはATM１７のカード挿入口１７０にＩＣカード１４を挿入する。制御部１７１はＩＣカード１４と初期動作を行う。ATM１７の操作画面１７２には図２９のように認証を促す表示がされ、ユーザは指静脈センサ１７３に指を置き、制御部１７１は第一の認証行う（Ｓ５００１）。指配置４０１が照合されると、認証成功シーケンス番号１５０は“１”となり、制御部１７１は認証シーケンスが“１”から始まるシーケンス動作１４７の“出金”か“預入”になることを判断し、認証成功シーケンス番号１５０と認証シーケンス１４６が合致しなければ、次のステップへ進む（Ｓ５００２）。
【００６９】
ATM１７の操作画面１７２には次の認証を促す表示が図３０のように表示され、次に指配置４０２が照合されると、認証成功シーケンス番号１５０は“１２”となり、対応するシーケンス動作は認証シーケンス１４６が“１２”から始まる“出金”と判断し、認証成功シーケンス番号１５０と認証シーケンスが合致しなければ、次のステップへ進む（Ｓ５００３）。操作画面１７２には図３１のように表示され、さらに指配置４０１が照合されると、認証成功シーケンス番号は“１２１”となり、合致する認証シーケンス１４６に対応するシーケンス動作１４７である“出金”を図３２のように表示し、動作に移行する（Ｓ５００４）。
【００７０】
一方、第一の認証で指配置４０２が照合されると、認証成功シーケンス番号１５０は“２”となり、対応するシーケンス動作１４７は、認証シーケンス１４６が“２”に合致する“残高照会”か、“２”から始まる“入金”と判断する。前記の場合、図３３のように表示し、ユーザは“残高照会”を行いたい場合、操作画面１７２にて選択し、“入金”を行いたい場合は続けて認証を行う。制御部は選択された場合には“残高照会”へ移行し、指が置かれた場合には認証処理を行う。
【００７１】
尚、ユーザが選択するのではなく、制限時間を設けて制限時間内に指が置かれなかったら、認証動作終了とし“残高照会”へ移行してもよく、ユーザ選択、制限時間等を組み合わせてもよい。尚、認証回数が増えていくにつれ、登録可能な動作が増加する。さらに、例えば照合の確度を認証回数に対して低く変化させることで、利便性を重視することもできる。
【００７２】
前記実施例の説明では、指を例として説明したが、本発明としては、当該指にのみ限定されるものではない。
【００７３】
従って、検出器、検出装置、検出手法によって、取得出来る生体情報であれば、勿論、本発明を適用するものであっても良い。
【００７４】
例えば、前述した生体情報として、瞳の虹彩、網膜、筆跡、顔形、掌形、声紋、静脈、ＤＮＡなどがあるが、これらを含む生体に関する生体情報の取得操作と関連づけて、本発明を実施するものであっても良いものである。例えば、書き順による筆跡の認証からの関連動作、発声順による声紋の認証からの関連動作等である。勿論、これらの生体情報を複数組み合わせるものであっても良い。
【図面の簡単な説明】
【００７５】
【図１】生体認証装置構成例
【図２】登録データ記憶部
【図３】指の配置例
【図４】画像読取部
【図５】制御部
【図６】操作画面部
【図７】携帯端末
【図８】メモリ
【図９】生体情報登録フローチャート
【図１０】指静脈認証フローチャート
【図１１】シーケンス動作登録フローチャート
【図１２】シーケンス動作認証フローチャート
【図１３】選択画面例
【図１４】案内画面例
【図１５】登録完了画面例
【図１６】入力待受け画面例
【図１７】認証成功画面例
【図１８】認証シーケンス入力画面例
【図１９】シーケンス動作確認画面例１
【図２０】シーケンス動作認証画面例１
【図２１】シーケンス動作認証画面例２
【図２２】シーケンス動作確認画面例２
【図２３】ＩＣカード
【図２４】登録装置
【図２５】ＡＴＭ
【図２６】シーケンス動作登録画面例
【図２７】シーケンス動作登録確認画面例
【図２８】シーケンス動作認証フローチャート
【図２９】シーケンス動作認証画面例３
【図３０】シーケンス動作認証画面例４
【図３１】シーケンス動作認証画面例５
【図３２】シーケンス動作認証画面例６
【図３３】シーケンス動作認証確認画面例
【符号の説明】
【００７６】
10：画面読取部
11：登録データ記憶部
12：制御部
13：操作画面部
14：ICカード
16：登録装置
17：ATM本体
30：携帯電話
31：テンキー
32：画像読取部
33：操作画面
34：制御部
36：メモリ
100：生体テンプレート情報
101：シーケンス番号
102：生体テンプレート
103：シーケンス（認証シーケンス）
104：シーケンス情報
105：シーケンス動作
106：認証成功シーケンス番号
110：光源
111：カメラ
120：信号処理部
121：メモリ
140：暗証番号
141：口座番号
142：生体テンプレート情報
143：シーケンス番号
144：生体テンプレート
145：シーケンス情報
146：認証シーケンス
147：シーケンス動作
148：最低認証回数
149：付加情報
150：認証成功シーケンス番号
151：認証失敗回数
160：カード挿入口
161：表示画面
162：画面読取部
163：制御部
170：カード挿入口
171：制御部
172：操作画面
173：指静脈センサ
200：正面指配置
201：側面指配置
210：正面指静脈画像
211：側面指静脈画像
220：正面生体テンプレート
221：側面生体テンプレート
360：暗証番号
361：端末番号
362：生体テンプレート情報
363：シーケンス番号
364：生体テンプレート
365：シーケンス情報
366：シーケンス（認証シーケンス）
367：シーケンス動作
368：付加情報
369：認証成功シーケンス番号
370：認証失敗回数
【図１】
2009116485.tif 000003
【図２】
2009116485.tif 000004
【図３】
2009116485.tif 000005
【図４】
2009116485.tif 000006
【図５】
2009116485.tif 000007
【図６】
2009116485.tif 000008
【図７】
2009116485.tif 000009
【図８】
2009116485.tif 000010
【図９】
2009116485.tif 000011
【図１０】
2009116485.tif 000012
【図１１】
2009116485.tif 000013
【図１２】
2009116485.tif 000014
【図１３】
2009116485.tif 000015
【図１４】
2009116485.tif 000016
【図１５】
2009116485.tif 000017
【図１６】
2009116485.tif 000018
【図１７】
2009116485.tif 000019
【図１８】
2009116485.tif 000020
【図１９】
2009116485.tif 000021
【図２０】
2009116485.tif 000022
【図２１】
2009116485.tif 000023
【図２２】
2009116485.tif 000024
【図２３】
2009116485.tif 000025
【図２４】
2009116485.tif 000026
【図２５】
2009116485.tif 000027
【図２６】
2009116485.tif 000028
【図２７】
2009116485.tif 000029
【図２８】
2009116485.tif 000030
【図２９】
2009116485.tif 000031
【図３０】
2009116485.tif 000032
【図３１】
2009116485.tif 000033
【図３２】
2009116485.tif 000034
【図３３】
2009116485.tif 000035